(57)【要約】【課題】  入賞装置に入球した遊技球を検知センサによって確実に検出できるようにした弾球遊技機の提供。【解決手段】  遊技球が流下可能な遊技領域４ａに遊技球が入球可能な入賞装置１５を設けた弾球遊技機１において、入賞装置１５は、遊技球が入球可能な入賞口１７１と、入賞口１７１を開放する開放位置及び閉鎖する閉鎖位置に移動可能な開閉部材１８と、開閉部材１８が開放位置にあるとき入賞口１７１から入球した遊技球がいずれかの方向へ転動するように傾斜する案内路１７２と、案内路１７２を通過した遊技球を検知する検知センサ１９とを有し、案内路１７２に、遊技球が接触することにより遊技球の転動を減速させる減速付与部２０を設ける。【選択図】  図３
2017196204.tif 000002
【特許請求の範囲】
【請求項１】
遊技球が流下可能な遊技領域に遊技球が入球可能な入賞装置を設けた弾球遊技機において、
前記入賞装置は、遊技球が入球可能な入賞口と、当該入賞口を開放する開放位置及び閉鎖する閉鎖位置に移動可能な開閉部材と、当該開閉部材が開放位置にあるとき前記入賞口から入球した遊技球がいずれかの方向へ転動するように傾斜する案内路と、当該案内路を通過した遊技球を検知する検知センサと、を有し、
前記案内路に、前記遊技球が接触することにより遊技球の転動を減速させる減速付与部を設けたことを特徴とする弾球遊技機。
【請求項２】
前記案内路を、遊技球が転動する底面部、当該底面部の前側に立設する前壁部及び底面部の後側に立設する後壁部と、を含み、
前記減速付与部を、前記前壁部の内面及び前記後壁部の内面のそれぞれから突出する複数の突出部により形成し、
前記前壁部に内面に設けられる複数の突出部と、前記後壁部の内面に設けられる複数の突出部とを、遊技球の転動方向に沿って互いに千鳥配列したことを特徴とする請求項１記載に記載の弾球遊技機。
【請求項３】
前記減速付与部を、前記案内路の前記底面部に設けられる波形状の凹凸部により形成したことを特徴とする請求項２に記載の弾球遊技機。
【発明の詳細な説明】
【技術分野】
【０００１】
本発明は、弾球遊技機に関する。
【背景技術】
【０００２】
弾球遊技機（パチンコ）においては、遊技球が打ち込まれる遊技領域に遊技状態が大当たり遊技状態になったとき遊技球の入球を容易にする入賞装置を備えている。
【０００３】
例えば、特許文献１に記載の弾球遊技機においては、入賞装置のケース内に、入球口から入球した遊技球が当接可能な突出部を設けることで、ケース内での遊技球の転動方向を変化させることで、入賞装置に複数の遊技球が同時に入球した場合の球噛みを防止したものである。
【先行技術文献】
【特許文献】
【０００４】
【特許文献１】特開２０１６−１６１４１公報
【発明の概要】
【発明が解決しようとする課題】
【０００５】
しかしながら、特許文献１に記載のような弾球遊技機においては、球噛み現象を防止することができるが、入賞装置に入球した遊技球の流下速度はそのままであるため、遊技球が勢いよく検知センサを通過することから、検知センサの誤検出が発生する虞がある。
【０００６】
本発明は、かかる課題に鑑みなされたものであって、入賞装置に入球した遊技球を検知センサによって確実に検出できるようにした弾球遊技機を提供することを目的とする。
【課題を解決するための手段】
【０００７】
本発明によると、上記課題は、次のようにして解決される。
第１の発明は、遊技球が流下可能な遊技領域に遊技球が入球可能な入賞装置を設けた弾球遊技機において、前記入賞装置は、遊技球が入球可能な入賞口と、当該入賞口を開放する開放位置及び閉鎖する閉鎖位置に移動可能な開閉部材と、当該開閉部材が開放位置にあるとき前記入賞口から入球した遊技球がいずれかの方向へ転動するように傾斜する案内路と、当該案内路を通過した遊技球を検知する検知センサと、を有し、前記案内路に、前記遊技球が接触することにより遊技球の転動を減速させる減速付与部を設ける。
【０００８】
第２の発明は、第１の発明において、前記案内路を、遊技球が転動する底面部、当該底面部の前側に立設する前壁部及び底面部の後側に立設する後壁部と、を含み、前記減速付与部を、前記前壁部の内面及び前記後壁部の内面のそれぞれから突出する複数の突出部により形成し、前記前壁部に内面に設けられる複数の突出部と、前記後壁部の内面に設けられる複数の突出部とを、遊技球の転動方向に沿って互いに千鳥配列する。
【０００９】
第３の発明は、第２の発明において、前記減速付与部を、前記案内路の前記底面部に設けられる波形状の凹凸部により形成する。
【発明の効果】
【００１０】
本発明によると、入賞装置に入球した遊技球を検知センサによって確実に検知できる。
【図面の簡単な説明】
【００１１】
【図１】本実施形態に係る弾球遊技機の正面図である。
【図２】同じく弾球遊技機における遊技盤の正面図である。
【図３】本発明における第１実施例の入賞装置の正面図である。
【図４】図３におけるIV−IV線拡大断面図である。
【図５】本発明における第２実施例の入賞装置の正面図である。
【図６】本発明における第３実施例の入賞装置の正面図である。
【図７】図６におけるVII-VII線拡大断面図である。
【図８】本発明における第４実施例の入賞装置の正面図である。
【発明を実施するための形態】
【００１２】
以下、本発明の一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１３】
以下の説明において弾球遊技機１の各部の左右方向は、その弾球遊技機１の正面に対向する者にとっての左右方向に合わせて説明する。
【００１４】
（弾球遊技機１の基本構造）
図１に示すように、弾球遊技機１は、遊技場の島設備に設置される短形枠状の外枠２と、外枠２の左枠部に蝶番（図示略）により垂直軸回りに開閉自在に取り付けられる内枠３と、内枠３に装着され、各種要素が組み付けられる遊技盤（図２参照）４と、遊技盤４の前側にあって、内枠３の左枠部に上下の蝶番（図示略）により垂直軸回りに開閉自在に取り付けられ、遊技盤４の前面を遊技者が透視し得るように閉塞するガラス板（又は合成樹脂板）５ａを嵌め込んだ前扉５と、遊技盤４の後側に設けられ賞球や貸球等の遊技球を払出可能な賞球払出装置（図示略）と、前扉５の前面下部に設けられ、賞球払出装置から払い出される遊技球を貯留するための受皿部６と、前扉５の下部裏側に設けられ受皿部６に貯留されている遊技球を導入して遊技盤４の前面に形成される略円形の遊技領域（図２参照）４ａへ向けて発射するための発射装置（図示略）と、受皿部６に貯留された遊技球を遊技領域４ａへ打ち出す際に操作される発射ハンドル７と、前扉５の前面上部に設けられ遊技状態に応じた効果音を出力するスピーカ装置８Ｌ、８Ｒと、前扉５の前側に設けられ遊技状況に応じて点灯、消灯及び点滅する照明演出を行う電飾装置９と、遊技盤４の裏側に設置される表示装置（図２参照）１０と、遊技盤４の後側に設置され、遊技進行及び遊技演出を制御するためのマイクロコンピュータにより構成される各種制御装置（図示略）等と、を備える。
【００１５】
表示装置１０は、例えば液晶ディスプレイから構成され、ガラス板５ａを透して遊技者が視認可能な表示画面１０ａに遊技に係る情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１６】
（遊技盤４及びそれに関係する構造）
図２に示すように、遊技盤４は、アクリル樹脂等の透明合成樹脂板により正面視略方形に形成されると共に、前面には、ガイドレール１１によって区画包囲される円形（楕円形を含む）の遊技領域４ａが形成される。受皿部６に貯留された遊技球は、発射ハンドル７が回転操作されることにより、発射装置から発射されて、ガイドレール１１により、遊技領域４ａの左上部から遊技領域４ａ内に導入されて流下する。
【００１７】
遊技盤４の遊技領域４ａの略中央部には、表示画面１０ａに表示される演出図柄を視認し得るように開口する枠状の装飾枠１２が固定され、装飾枠１２の表面に各種模様が施されている。
なお、遊技盤４における一部の領域は、模様、彩色等が施された不透明の装飾版等が貼着されることにより、弾球遊技機１の内部構造が見えないように隠蔽される。
【００１８】
さらに、遊技領域４ａには、遊技領域４ａに打ち込まれた遊技球の流下方向を変化させる多数の遊技釘４ｂ及び風車４ｃと、遊技領域４ａの左領域（装飾枠１２の左側の領域）を流下する遊技球のうち装飾枠１２の左部に設けられたワープ孔４ｄに進入したワープ球（遊技球）を導入し、当該ワープ球を左右及び前後方向へ転動させ得るステージ１２ａと、ステージ１２ａの下方にあって、遊技領域４ａを流下する遊技球及びステージ１２ａの前側から落下したワープ球が入球可能な常時上向きに開口した第１始動入賞口１３と、遊技領域４ａの右領域（装飾枠１２の右側の領域）にあって、遊技球が通過可能なスルーチャッカ１４１及び遊技球が入賞可能な第２始動入賞口１４２等を有する特別役物装置１４と、遊技領域４ａの右下領域（装飾枠１２の右側下方の領域）であって、遊技球の第１、２始動入賞口１３、１４２への入球を契機に実行される内部抽選の結果、遊技状態が大当たり遊技状態に移行した場合、遊技領域４ａの右領域を流下する右打ちされた遊技球（右打ち遊技球）が入球可能な入賞装置１５と、アウト球（いずれの入賞口にも入球しなかった遊技球）を遊技盤４の裏面側に排出するアウト口１６と、が設けられる。
【００１９】
第１、２始動入賞口１３、１４２等の入賞口の内部には、遊技球の入球を検知するための検知センサ（図示略）が設けられている。また、入賞装置１５の内部にも、遊技球の入球を検知するための、後述の検知センサ１９が設けられている。各検知センサが遊技球の入球を検知すると、所定個数の遊技球が賞球として遊技者に払い出される。
【００２０】
右打ち遊技球は、装飾枠１２の上面及び右外周面に形成される右打ち通路１２ｂを通過して遊技領域４ａの右領域の特別役物装置１４に導かれ、遊技状態が大当たり遊技状態であれば入賞装置１５に容易に入球することができる。
【００２１】
次に、本発明に係る入賞装置１５について説明する。図３は、入賞装置１５の正面図、図４は、図３におけるIV−IV線拡大断面図である。
図２〜４に示すように、入賞装置１５は、遊技盤４の盤面から前方へ突出するように遊技盤４に固定されるとともに、前面がアクリル樹脂等の透明合成樹脂板で形成される箱状のケース１７と、ケース１７の上部に前後方向へスライド可能に支持される開閉部材１８と、ケース１７の裏側に配置される検知センサ１９とを備える。
【００２２】
ケース１７は、上部にあって、右打ち遊技球が内部空間へ入球し得るように上部が開口する入球口（入賞口）１７１と、内部にあって、入球口１７１に入球した遊技球を受け止めて左方へ誘導する案内路１７２と、案内路１７２の下流側にあって、案内路１７２を通過した遊技球をケース１７の裏側に排出する回収口１７３とを有する。
【００２３】
案内路１７２は、ケース１７の内部にあって、左下がりに傾斜して案内路１７２の底面を形成する底面部１７２ａと、ケース１７の前面の一部であって、底面部１７２ａの前端から立設して案内路１７２の前面を形成する前壁部１７２ｂと、ケース１７の後面の一部であって、底面部１７２ａの後端から立設して案内路１７２の後面を形成する後壁部１７２ｃとから形成される。
【００２４】
図４に示すように、案内路１７２の前後幅（前壁部１７２ｂの内面と後壁部１７２ｃの内面との間隔）Ｗ１は、遊技球１個分の直径よりも大で、遊技球２個分の直径よりも小さくなるように形成される。なお、後述する図５〜８に示す実施例においても、案内路１７２の前後幅は図４に示すものと同様に形成される。
【００２５】
ケース１７における回収口１７３の後側には、回収口１７３を通過した遊技球の通過を検知するための前述の検知センサ１９が設けられる。また、ケース１７の内部における回収口１７３の前方には、案内路１７２を転動してきた遊技球が回収口１７３に円滑に入球するように、遊技球の転動方向を後方へ変化させるための下案内部１７４及び側案内部１７５が設けられる。
【００２６】
開閉部材１８は、ケース１７の上部に前後方向へスライド可能に支持され、遊技盤の裏側に設置されるソレノイド等の駆動装置（図示略）の動力により、入球口１７１を上側から閉鎖する閉鎖位置と、後方へ移動することで入球口１７１を開放する開放位置に移動することができる。
【００２７】
開閉部材１８が閉鎖位置にある場合には、入球口１７１を閉鎖するため、遊技球が入球口１７１からケース１７の内部に入球することは実質的に不能であり、また、同じく開放位置にある場合には、入球口１７１が開放するため、遊技球が入球口１７１からケース１７の内部に入球することは可能になる。
【００２８】
開閉部材１８が開放位置にある場合、入球口１７１からケース１７内に入球した遊技球は、案内路１７２により受け止められて下り傾斜する左方へ向けて転動し、最終的に回収口１７３を通過して検知センサ１９により入賞球として検出される。
【００２９】
遊技球の第１、２始動入賞口１３、１４２への入球を契機に実行される内部抽選の結果、遊技状態が大当たり遊技状態に移行した場合、入賞装置１５の開閉部材１８は、閉鎖位置から開放位置に移動する。これにより、遊技球を右打ちすることで、右打ち遊技球は、特別役物装置１４内を通過した後、入賞装置１５の右斜め上方に設けられた誘導路１４３に誘導されて入球口１７１に容易に入球することができる。入球口１７１からケース１７内に入球した遊技球は、案内路１７２を転動して回収口１７３を通過することで検知センサ１９により検出される。そして、検知センサ１９が回収口１７３を通過した遊技球を規定入賞数（例えば、１０個）検出するか、または開閉部材１８が開放位置に移動してから３０秒経過すると、１ラウンドのラウンド遊技が終了して開閉部材１８が一旦閉鎖する。当該閉鎖後、さらに所定時間経過すると、開閉部材１８が再度開放し、次のラウンド遊技が開始される。このラウンド遊技は最大１５回まで繰返す。これにより、大当りが発生した場合には、入賞装置１５に多数の遊技球が入賞可能となり、賞球払出装置から賞球として大量の遊技球が短時間に受皿部６に払い出される。
【００３０】
図３、４に示すように、案内路１７２には、入球口１７１に入球した遊技球の転動速度を減速させるための減速付与部（突出部）２０が設けられる。この減速付与部２０は、案内路１７２における底面部１７２ａの傾斜角度を予め定められた規定角度よりも小さくすることなく、遊技球の転動速度を減速させることができる。
このようにすることによって、入球口１７１に入球した遊技球が案内路１７２を通過するときに減速付与部２０により減速させられて回収口１７３を勢いよく通過しないため、検知センサ１９が遊技球を確実に検出することができるようになる。
【００３１】
また、案内路１７２の底面部１７２ａの傾斜角度を規定角度よりも小さくしないため、入球口１７１に入球した遊技球が案内路１７２の途中で止まるようなことはない。
【００３２】
また、入球口１７１に入球した遊技球は、案内路１７２を通過するときに減速付与部２０で減速させられるため、入球口１７１に入球してから検知センサ１９により検出されるまでの時間が遅延することとなる。これによって、大当たり遊技状態のラウンド遊技において、規定入賞数（本実施形態においては１０個）を超過した数（１、２個）の遊技球が入賞装置１５に入賞する、所謂オーバー入賞を可能にすることができる。
【００３３】
（第１実施例）
図３、４は、本発明における減速付与部２０の第１実施例を示す。第１実施例における減速付与部２０は、前壁部１７２ｂ及び後壁部１７２ｃが互いに対向する内側面に設けられる複数の円形突出部２１によって形成される。
【００３４】
図４に示すように、前壁部１７２ｂの内側面に設けられる複数の円形突出部２１及び後壁部１７２ｃの内側面に設けられる複数の円形突出部２１は、遊技球の転動方向（左右方向）に沿って千鳥配列されるとともに、先端部漸次小さくなる凸円弧形状を呈している。
【００３５】
案内路１７２の前後方向の実質幅Ｗ２（前壁部１７２ｂの円形突出部２１の先端部に接する接線ｘ１と、後壁部１７２ｃの円形突出部２１の先端部に接する接線ｘ２との間隔）は、遊技球１個分の直径よりも僅かに小となるように形成される。また、前壁部１７２ｂの円形突出部２１の先端部と後壁部１７２ｃの円形突出部２１の先端部との対角線上の間隔Ｗ３は、遊技球１個分の直径よりも大きく遊技球２個分の直径よりも小さくなるように形成される。
【００３６】
これにより、入賞装置１５の入球口１７１に入球して遊技球は、案内路１７２を上流側（右側）から下流側（左側）へ向けて移動する際、円形突出部２１の先端部に次々に接触することで、図４に矢印で示すように、蛇行しながら下流側へ転動する。
【００３７】
案内路１７２の下流側に転動した遊技球は、円形突出部２１により減速させられた状態で、回収口１７３を通過して検知センサ１９により検出される。これにより、回収口１７３の手前での遊技球の球詰まりを防止して、検知センサ１９による遊技球を確実に検出することができる。
【００３８】
（第２実施例）
図５は、本発明における減速付与部２０の第２実施例を示す。第２実施例の減速付与部２０は、前壁部１７２ｂ及び後壁部１７２ｃが互いに対向する内側面に設けられる上下方向へ長い複数の突条部２２によって形成される。
【００３９】
第２実施例においても、第１実施例と同様に、前壁部１７２ｂの内側面に設けられる複数の突条部２２及び後壁部１７２ｃの内側面に設けられる複数の突条部２２は、遊技球の転動方向（左右方向）に沿って千鳥配列されるとともに、平面視で先端が漸次小さくなる凸円弧形状を呈している。
その他の構成については、第１実施例と同一であるので、第１実施例で使用した符号を付して説明は省略する。
【００４０】
このようにすると、第１実施例の円形突出部２１よりも遊技球が突条部２２に確実に接触するため、遊技球が案内路１７２を通過する際、遊技球の転動速度をより減速させることが可能となる。
【００４１】
（第３実施例）
図６、７は、本発明における減速付与部２０の第３実施例を示す。第３実施例の減速付与部２０は、前壁部１７２ｂ及び後壁部１７２ｃが互いに対向する内側面に設けられる上下方向へ長い複数の突条部２３（第２実施例の突条部２２と同様のもの）、及び案内路１７２の底面部１７２ａの表面に設けられる波形状の凹凸部２４により形成される。
【００４２】
その他の構成については、第１実施例と同一であるので、第１実施例で使用した符号を付して説明は省略する。
【００４３】
このようにすると、入賞装置１５の入球口１７１に入球した遊技球は、突条部２３に接触しつつ凹凸部２４上を転動するため、第１、２実施例よりも遊技球の転動速度をより減速させることが可能となる。
【００４４】
（第４実施例）
図８は、本発明における減速付与部２０の第４実施例を示す。第４実施例の減速付与部２０は、前壁部１７２ｂ及び後壁部１７２ｃが互いに対向する内側面に設けられる円形突出部２５により形成される。
【００４５】
なお、第４実施例の減速付与部２０は、円形突出部２５を第１実施例の円形突出部２１と同一形状とするが、これに代えて、第２実施例のものを採用しても良いし、また、これに加えて、第３実施例のような凹凸部としても良い。
【００４６】
第４実施例の円形突出部２５は、案内路１７２における上流側である右半分の領域のみに設け、下流側である左半分の領域には設けないものとしている。
【００４７】
このようにすることで、入賞装置１５の入球口１７１に遊技球が複数連続して入球した場合、案内路１７２の上流側では、複数の遊技球が円形突出部２５により減速させられるため、遊技球が互いに前後に接近した状態となるが、遊技球が全ての円形突出部２５を通過したあとの下流側では、遊技球は減速されないため、前後の遊技球が互いに適度に離れた状態で転動して検知センサ１９を通過するようになる。これにより、検知センサ１９が遊技球の通過を検出する際のチャタリングを防止して、より確実に遊技球を検出することができる。
【００４８】
以上、本発明の実施形態について説明したが、本発明の趣旨を逸脱しない範囲内で、本実施形態に対して、次のような変形や変更を施すことが可能である。
減速付与部２０を、円形突出部２１、２５、突条部２２、２３及び凹凸部２４だけでなく、他の形状に代えたり、案内路１７２の底面部１７２ａに円形突出部、突条部を設けたり、前壁部１７２ｂの内面及び／又は後壁部１７２ｃの内面に波形状の凹凸部を設けてもよい。
【符号の説明】
【００４９】
１  弾球遊技機                            ２  外枠
３  内枠                                  ４  遊技盤
４ａ  遊技領域                            ４ｂ  遊技釘
４ｃ  風車                                ４ｄ  ワープ孔
５  前扉                                  ５ａ  ガラス板
６  受皿部                                ７  発射ハンドル
８Ｌ、８Ｒ  スピーカ装置                  ９  電飾装置
１０  表示装置                            １０ａ  表示画面
１１  ガイドレール                        １２  装飾枠
１２ａ  ステージ                          １２ｂ  右打ち通路
１３  第１始動入賞口                      １４  特別役物装置
１４１  スルーチャッカ                    １４２  第２始動入賞口
１５  入賞装置                            １６  アウト口
１７  ケース                              １７１  入球口（入賞口）
１７２  案内路                            １７２ａ  底面部
１７２ｂ  前壁部                          １７２ｃ  後壁部
１７３  回収口                            １７４  下案内部
１７５  側案内部                          １８  開閉部材
１９  検知センサ                          ２０  減速付与部（突出部）
２１、２５  円形突出部                    ２２、２３  突条部
２４  凹凸部                              Ｗ１  前後幅
Ｗ２  実質幅                              Ｗ３  間隔
ｘ１、ｘ２  接線
【図１】
2017196204.tif 000003
【図２】
2017196204.tif 000004
【図３】
2017196204.tif 000005
【図４】
2017196204.tif 000006
【図５】
2017196204.tif 000007
【図６】
2017196204.tif 000008
【図７】
2017196204.tif 000009
【図８】
2017196204.tif 000010